(57)【要約】      （修正有）【課題】仕切り、棚、鉢置き、床材等に用いられる多機能ブロック材料であり、軽量で、組立て及び解体が容易な、且つ外力に対し機械的耐性のあるベランダ及びインドアガーディニングにおけるブロック塀の提供。【解決手段】プラスチック複合材料を用い、中空箱状ブロックを形成、開口部と相対する面の突起と開口部中空内のリブとを勘合可能とし、また突起に設けた穴を利用し、複数のブロック間に補強用支持棒７を挿入することにより機械的耐性のあるブロック壁を得た。【選択図】図５
0003138465.tif 000002
【実用新案登録請求の範囲】
【請求項１】
熱可塑性樹脂１５〜６０重量％、好ましくは３０〜５０重量％及び天然由来の充填剤４０〜８５重量％、好ましくは５０〜７０重量％の組成物を射出成形した平行六面体の成形体であって、その成形体の中央部が中空であり、その一面は開口しており、開口部に相対する面は平坦であるか、或いはその面領域内に単数或いは複数の突起が形成され、その突起平坦部には単数或いは複数の穴が設けられていることを特徴とするブロック式煉瓦。
【請求項２】
熱可塑性樹脂がポリプロピレン或いはポリエチレン或いはポリエステル或いはＡＢＳ或いは生分解性ポリマー或いはそれらの混合物であることを特徴とする第１項記載のブロック式煉瓦。
【請求項３】
天然由来の充填剤が木粉或いは樹皮粉或いは竹粉或いはシルバースキンであることを特徴とする第１、２項記載のブロック式煉瓦。
【請求項４】
請求項１〜３項記載のブロック式煉瓦をお互いに勘合してなる壁体であって、少なくとも１本以上の支持棒が複数のブロック式煉瓦突起部の穴を貫通し、補強していることを特徴とするブロック式煉瓦塀。
【請求項５】
請求項１〜３項記載のブロック式煉瓦の開口部を上にして、単数或いは複数個組み合わせた鉢置き及び／或いは植木鉢。
【考案の詳細な説明】
【技術分野】
【０００１】  本考案は、仕切り、棚、鉢置き、床材等に用いられる多機能ブロック材料であり、家庭菜園分野、ガーディニング分野、ベランダ及びインドアガーディニング分野及びインテリア分野に関する。
【背景技術】
【０００２】  ガーディニング等に利用されている煉瓦ブロックは一般に重く、持ち運びに難があり、特に高層建築物のベランダや室内等で用いるためには不都合な面を有していた。また壁を形成するときには安定に固定するために煩雑な作業を必要とする。
コンクリートブロックは鉄筋を入れ、補強できるが重量的な問題或いは組立てに接合材が必要という点では煉瓦ブロックと類似している。
【考案の開示】
【考案が解決しようとする課題】
【０００３】  本考案では前記の不都合を考慮し、軽量で、組み立てが簡単な、且つ外力に耐える構造のガーディニング材料、特にブロック塀の提供を目的とした。
【課題を解決するための手段】
【０００４】  本考案では上記課題を解決するために、天然由来の材料を含むプラスチック複合材料を用い、一面が開口し、開口部に相対する面には突起を設けた、中央部が中空の平行六面体の箱状ブロックを形成し、突起部と他のブロックの開口部を勘合できる構造とすると共に、突起部に補強用支持棒が貫通する穴を配置した。
【考案の効果】
【０００５】  本考案によれば、成形体を中空箱状とすることで重量を大幅に低減でき、取り扱いが容易となった。また複数のブロックを用い、表面の突起とそれに相対する開口部のリブ端面とを勘合させることにより、任意の形状の製品、例えば仕切り壁、床材、植木鉢の置き台等を容易に組立て、解体できる。
更にはブロック表面の突起に穴を設け、補強用支持棒を挿入できる構造としたことにより、上方に垂直に立つ壁体に対し、面方向からの外力に対する機械的耐性を付与できた。
突起部に穴を開けたブロック式煉瓦は開口部を上にすることにより単数で、或いは複数組み合わせて植木鉢としても利用可能である。
【考案を実施するための最良の形態】
【０００６】  図１〜図５に本考案の実施例の１つを示す。なお本考案は該実施例に限定されるものではない。図１はブロック上面図、図２はブロック下面図、図３はブロック側面図、図４はブロック側面方向の断面図である。
また図５はこのブロック体で組み立てた壁に補強用支持棒を挿入したときのイメージ図である。
図６は植木鉢に適した突起上の穴の一例である。
この中空の箱状ブロック成形体は熱可塑性樹脂及び天然由来の材料からなる複合材料を射出成形することにより得られる。成形に際しては、通常用いられる酸化防止剤、安定剤、滑剤等を必要に応じて使用できる。
熱可塑性樹脂はポリプロピレン、ポリエチレン、ポリスチレン、ポリ塩化ビニル、ポリエステル、ポリ乳酸、ポリコハク酸等から選択できるが、ポリオレフィン、特にポリプロピレンが好ましい。天然由来の材料としては木材、好ましくは木材廃材を粉末化した木粉が好ましく、重量で４０〜８５％、好ましくは５０〜７０％を熱可塑性樹脂と混合し、一旦ペレット状にしたものを射出成形する。
中央が中空の箱状ブロック１は、その開口した面３に相対する面４の上に突起２を有する。この突起２は他のブロックの中空の空間内に設けられたリブ５が形成する壁の端面に嵌め込み、固定することができる。これを利用し複数のブロックを組立て、仕切り壁、棚等を容易に得ることができる。
このブロック１の突起２はその中央部に穴６を有し、これを利用して少なくとも１本以上の補強用支持棒を挿入し、煉瓦集合体の機械的耐性を高めることができる。
【産業上の利用可能性】
【０００７】  例えば、家庭菜園分野或いはガーディニング分野或いはインテリア分野或いはベランダ及びインドアガーディニング分野で使用される仕切り壁、床材、枠材、置き台等広範な製品に応用できるが、特に補強可能な壁体として使用する場合に有利である。
【実施例】  本考案の実施例を説明する。【０００８】  ［実施例１］
ポリプロピレン樹脂３０重量％、木質充填剤（平均粒径５００μｍの木粉）７０重量％からなる複合材料ペレットを原料とし、図１〜図４に示す箱状ブロック成形体を成形した。箱状ブロックの寸法は横幅１６０×高さ５０×奥行７９．７の直方体であり、開口部に相対する面４上に突起２を２個備えている。この突起２の中央部には穴６が配置されている。突起２の形状は外形４７．８Φ×高さ２３．９の円柱で、中央の穴径は１０Φである。突起２は中空中央部に形成したリブ５が形成する中央空間部に勘合可能である。
このようにして形成された箱状ブロックを長さ方向に複数組み合わせることにより、二次元の平面構造の壁を形成した。突起２の穴６に穴径に等しい外形の支持棒を挿入することにより、壁横面から加えられる外力、ここでは成人男子が両手で押した力にも十分耐える強度のあることが確認された。
この成形体表面は図５に示すような不均質な模様を有していた。
［比較例１］
箱状ブロック１に近い大きさの煉瓦で仕切り壁を形成した。煉瓦の重量は実施例１のブロックと比較し、ほぼ１０倍の重量を有し、重い。また形成した壁は実施例１と同様成人男子が横方向から押したところ容易に崩れてしまった。
【図面の簡単な説明】
【０００９】
【図１】  本考案におけるブロックの一実施例の上面概略図面である。
【図２】  上記ブロックの下面概略図面である。
【図３】  上記ブロックの側面概略説明図である。
【図４】  上記ブロックの側面方向の断面概略図面である。
【図５】  上記ブロックで組み立てた壁に補強用支持棒を挿入した時のイメージ図である。
【図６】  植木鉢に適した突起上の穴の一例である。
【符号の説明】
【００１０】    １      ブロック煉瓦
２      突起
３      開口部
４      開口部に相対する面
５      空間内のリブ
６      突起上の穴
７      補強用の支持棒
【図１】
0003138465.tif 000003
【図２】
0003138465.tif 000004
【図３】
0003138465.tif 000005
【図４】
0003138465.tif 000006
【図５】
0003138465.tif 000007
【図６】
0003138465.tif 000008